(57)【要約】【課題】プレビュー画像に簡単な操作で情報を付加して出力することができる画像形成装置を提供する。【解決手段】コンタクトガラス２２に載置された原稿を読み取って画像データを生成する複写機１であって、コンタクトガラス２２は、矩形状の透明部材により構成された基体２２ａと、コンタクトガラス２２に載置可能な原稿の最大サイズを少なくとも含むように設けられている透明表示パネル２２ｂ及びタッチパネル２２ｃとを備え、画像データをコンタクトガラス２２にプレビュー画像として表示させると共に、画像データに対する各種編集を実行する編集ウインドウを表示させ、画像データに情報を付加する編集を受け付ける画像編集部７１と、編集後の画像データを出力するデータ出力部である印刷部４２とを備えている。【選択図】図２
2019216382.tif 000002
【特許請求の範囲】
【請求項１】
コンタクトガラスに載置された原稿を読み取る原稿読取部を備え、前記原稿読取部によって読み取った前記原稿や、受信データの画像データを生成する画像形成装置であって、
前記コンタクトガラスは、
矩形状の透明部材により構成された基体と、
前記コンタクトガラスに載置可能な原稿の最大サイズを少なくとも含むように設けられている表示部と、を備え、
前記画像データを前記コンタクトガラスにプレビュー画像として表示させると共に、前記画像データに対する各種編集を実行する編集ウインドウを表示させ、前記画像データに情報を付加する編集を受け付ける編集部と、
編集後の前記画像データを出力する出力部と、を具備することを特徴とする画像形成装置。
【請求項２】
前記編集ウインドウには、手書き入力を実行するペンツールが前記画像データに情報を付加する編集ツールとしてレイアウトされていることを特徴とする請求項１記載の画像形成装置。
【請求項３】
前記編集ウインドウには、前記画像データに図形を追加する図形ツールが前記画像データに情報を付加する編集ツールとしてレイアウトされていることを特徴とする請求項１又は２記載の画像形成装置。
【請求項４】
前記編集部は、前記画像データが複数である場合、複数の前記画像データを縮小されたサムネイル画像として前記コンタクトガラスに一覧表示させ、一覧表示から選択された前記画像データを前記コンタクトガラスにプレビュー画像として表示させることを特徴とする請求項１乃至３のいずれかに記載の画像形成装置。
【請求項５】
原稿給送部によって１枚ずつ順に繰り出される原稿を読み取るためのスリットガラスに補助表示部を備え、
前記編集部は、前記コンタクトガラスに載置可能な最大サイズの原稿の前記画像データを前記コンタクトガラスに表示させる場合に、前記編集ウインドウを前記スリットガラスに切り換えて表示させることを特徴とする請求項１乃至４のいずれかに記載の画像形成装置。
【請求項６】
コンタクトガラスに載置された原稿を読み取る原稿読取部を備え、前記原稿読取部によって読み取った前記原稿や、受信データの画像データを生成する画像形成装置であって、
前記コンタクトガラスは、
矩形状の透明部材により構成された基体と、
前記コンタクトガラスに載置可能な原稿の最大サイズを少なくとも含むように設けられている表示部と、を備えると共に、
原稿給送部によって１枚ずつ順に繰り出される原稿を読み取るためのスリットガラスに補助表示部を備え、
前記画像データを前記コンタクトガラスにプレビュー画像として表示させると共に、
前記画像データに対する各種編集を実行する編集ウインドウを前記スリットガラスに表示させ、前記画像データに情報を付加する編集を受け付ける編集部と、
編集後の前記画像データを出力する出力部と、を具備することを特徴とする画像形成装置。
【請求項７】
設定や動作指示を行う表示入力部を備え、
前記編集部は、前記コンタクトガラスの表示を、前記表示入力部にも表示させることを特徴とする請求項１乃至６のいずれかに記載の画像形成装置。
【発明の詳細な説明】
【技術分野】
【０００１】
本発明は、コンタクトガラスに載置された原稿を読み取って画像データを生成する画像形成装置に関する。
【背景技術】
【０００２】
読み取る原稿がセットされるコンタクトガラスと、表示される画像に対する使用者の操作を認識するためのタッチパネル部を含み、前記コンタクトガラスを透過型ディスプレイとして用いるスキャンテーブル部を備えた画像形成装置が提案されている（例えば、特許文献１参照）。
【０００３】
特許文献１では、原稿を読み取って得られた画像データに基づき、実寸大でプレビュー画像をスキャンテーブル部に表示させ、拡大、縮小の操作や、切り出し部分を特定する操作を可能にしている。
【先行技術文献】
【特許文献】
【０００４】
【特許文献１】特開２０１６−１５２５５８号公報
【発明の概要】
【発明が解決しようとする課題】
【０００５】
しかしながら、従来技術では、プレビュー画像に情報を付加できないという問題点があった。
【０００６】
本発明は、上記問題点を鑑みてなされたものであり、その目的とするところは、プレビュー画像に簡単な操作で情報を付加して出力することができる画像形成装置を提供することを目的とする。
【課題を解決するための手段】
【０００７】
本発明の画像形成装置は、コンタクトガラスに載置された原稿を読み取る原稿読取部を備え、前記原稿読取部によって読み取った前記原稿や、受信データの画像データを生成する画像形成装置であって、前記コンタクトガラスは、矩形状の透明部材により構成された基体と、前記コンタクトガラスに載置可能な原稿の最大サイズを少なくとも含むように設けられている表示部と、を備え、前記画像データを前記コンタクトガラスにプレビュー画像として表示させると共に、前記画像データに対する各種編集を実行する編集ウインドウを表示させ、前記画像データに情報を付加する編集を受け付ける編集部と、編集後の前記画像データを出力する出力部と、を具備することを特徴とする。
また、本発明の画像形成装置は、コンタクトガラスに載置された原稿を読み取る原稿読取部を備え、前記原稿読取部によって読み取った前記原稿や、受信データの画像データを生成する画像形成装置であって、前記コンタクトガラスは、矩形状の透明部材により構成された基体と、前記コンタクトガラスに載置可能な原稿の最大サイズを少なくとも含むように設けられている表示部と、を備えると共に、原稿給送部によって１枚ずつ順に繰り出される原稿を読み取るためのスリットガラスに補助表示部を備え、前記画像データを前記コンタクトガラスにプレビュー画像として表示させると共に、前記画像データに対する各種編集を実行する編集ウインドウを前記スリットガラスに表示させ、前記画像データに情報を付加する編集を受け付ける編集部と、編集後の前記画像データを出力する出力部と、を具備することを特徴とする。
【発明の効果】
【０００８】
本発明によれば、コンタクトガラスにプレビュー画像と共に表示させた編集ウインドウによって画像データに情報を付加する編集を受け付けることができるため、プレビュー画像に簡単な操作で情報を付加して出力することができるという効果を奏する。
【図面の簡単な説明】
【０００９】
【図１】本発明に係る原稿読取装置の実施の形態の内部構成を示す断面模式図である。
【図２】図１に示す複写機の概略構成を示すブロック図である。
【図３】図１に示すコンタクトガラスへの表示例を示す図である。
【図４】図１に示すコンタクトガラスへの表示例を示す図である。
【図５】図１に示すコンタクトガラスへの表示例を示す図である。
【発明を実施するための形態】
【００１０】
以下、図を参照して本発明の実施の形態を詳細に説明する。なお、以下の実施形態において、同様の機能を示す構成には、同一の符号を付してある。
【００１１】
次に、本発明の実施の形態を、図面を参照して具体的に説明する。
本実施の形態の画像形成装置は、複写機１であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、複写機１の手前側に配設されている。また、原稿給送部３と原稿読取部２とは、複写機１の奥側でヒンジ機構によって接続されており、原稿給送部３を手前側から上方に開くことで、原稿読取部２上面のコンタクトガラス２２を開放可能な構成になっている。
【００１２】
複写機１の手前側には、複写機１の設定や動作指示を行う操作部５が配設されている。操作部５は、液晶パネル等の表示入力部、操作ボタン等の入力部が設けられている。
【００１３】
原稿読取部２は、スキャナー２１と、コンタクトガラス２２と、スリットガラス２３とを備えている。スキャナー２１は、ＬＥＤ（Light Emitting Diode）を用いた光源と、ＣＣＤ（Charge Coupled Device）ラインセンサーやＣＭＯＳ（Complementary Metal Oxide Semiconductor）ラインセンサー等の主走査方向に配列された複数の光電変換素子からなる受光部とを備えている。スキャナー２１は、副走査方向に移動可能に構成されている。
【００１４】
コンタクトガラス２２は、原稿読取部２によって読み取る原稿を載置する原稿台であると共に、透過型ディスプレイとして機能する。コンタクトガラス２２は、ガラス等の矩形状の透明部材により構成された基体２２ａと、基体２２ａ下面に設けられた透明表示パネル２２ｂ（表示部）と、基体２２ａ上面に設けられた透明なタッチパネル２２ｃ（表示部の変形例）とを備えている。
【００１５】
透明表示パネル２２ｂは、コンタクトガラス２２に載置可能な原稿の最大サイズを少なくとも含むように、基体２２ａのほぼ全域に設けられている。なお、透明表示パネル２２ｂは、基体２２ａ内や、基体２２ａ上面とタッチパネル２２ｃとの間に設けるようにしても良い。
【００１６】
透明表示パネル２２ｂは、透明有機ＥＬディスプレイ、液晶パネル、自発光中間膜等で構成することができる。なお、透明表示パネル２２ｂを液晶パネルで構成する場合には、バックライトが、透明表示パネル２２ｂを自発光中間膜で構成する場合には、投影装置がそれぞれ必要になる。
【００１７】
タッチパネル２２ｃは、コンタクトガラス２２に載置可能な原稿の最大サイズを少なくとも含むように、基体２２ａのほぼ全域に設けられている。
【００１８】
スリットガラス２３は、原稿給送部３による原稿の搬送方向と直交する方向に形成されたガラス等の矩形状の透明部材により構成されている。
【００１９】
原稿給送部３は、原稿載置部３１と、原稿搬送機構３２と、原稿排出部３３と、原稿載置部３１に原稿が載置されているか否かを検出する原稿検出センサー３４と、原稿給送部３の開閉を検出する開閉検出センサー３５とを備えている。原稿載置部３１に載置された原稿は、原稿搬送機構３２によって、１枚ずつ順に繰り出されてスリットガラス２３に対向する位置へ搬送され、その後、原稿排出部３３に排出される。
【００２０】
原稿給送部３は、原稿台であるコンタクトガラス２２の原稿載置面を開閉する原稿台カバーとして機能する。原稿給送部３を上方に開くことで、コンタクトガラス２２上面が開放され、コンタクトガラス２２に原稿をセットできる状態となる。
【００２１】
原稿載置部３１に原稿が載置されていない状態や、原稿給送部３が開いた開状態で、操作部５によって原稿の読み取りが指示されると、コンタクトガラス２２に載置された原稿が読み取られる。コンタクトガラス２２に載置された原稿を読み取る場合には、スキャナー２１は、コンタクトガラス２２に載置された原稿を、読取開始基準線から主走査方向と直交する副走査方向に走査しながら読み取り、原稿の画像データを取得し、取得した画像データを本体部４に出力する。
【００２２】
原稿載置部３１に原稿が載置された状態で、操作部５によって原稿の読み取りが指示されると、原稿給送部３により搬送された原稿が読み取られる。原稿給送部３により搬送された原稿を読み取る場合には、スキャナー２１は、スリットガラス２３と対向する位置に移動され、スリットガラス２３を介し、原稿給送部３による原稿の搬送動作と同期して原稿を読み取り、原稿の画像データを取得し、取得した画像データを本体部４に出力する。
【００２３】
本体部４は、給紙部４１と、印刷部４２とを備えている。給紙部４１は、複数枚の記録紙が収納される給紙カセットである。印刷部４２は、画像データに基づいてトナー像を形成し、形成したトナー像を給紙部４１から搬送されてくる記録紙に転写させ、記録紙に転写されたトナー像を所定の定着温度で定着させて印刷する。
【００２４】
図２には、複写機１の概略構成を示すブロック図が示されている。上述の原稿読取部２、原稿給送部３、給紙部４１、印刷部４２及び操作部５は、制御部７に接続され、制御部７によって動作制御される。また、制御部７には、画像処理部８と、記憶部９とが接続されている。
【００２５】
画像処理部８は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００２６】
記憶部９は、半導体メモリーやＨＤＤ（Hard Disk Drive）等の記憶手段であり、画像処理用のメモリーや各種設定を記憶するメモリーとして使用される。
【００２７】
制御部７は、ＣＰＵ（Central Processing Unit）、ＲＯＭ（Read Only Memory）、ＲＡＭ（Random Access Memory）等を備えたマイクロコンピュータ等の演算処理回路である。ＲＯＭには複写機１の動作制御を行うための制御プログラムが記憶されている。制御部７は、ＲＯＭに記憶されている制御プログラムを読み出し、制御プログラムをＲＡＭに展開させることで、操作部５から入力された各種指示情報に応じて装置全体の制御を行う。
【００２８】
また、制御部７は、原稿読取部２によって原稿を読み取った画像データの編集を受け付ける画像編集部７１として機能する。
【００２９】
画像編集部７１は、操作部５によってプレビューモードの設定を受け付ける。そして、プレビューモードにおいて、操作部５によって原稿のコピーが指示され、原稿読取部２によって原稿を読み取りが実行されると、画像編集部７１は、読み取った画像データの印刷を待機させる。
【００３０】
次に、開閉検出センサー３５によって原稿給送部３の開状態が検出され、コンタクトガラス２２がユーザーから目視できる状態で、操作部５によってプレビュー指示を受け付けると、画像編集部７１は、図３（ａ）に示すように、コンタクトガラス２２（透明表示パネル２２ｂ）に読み取った画像データをプレビュー画像５０として等倍表示させる。なお、プレビュー画像５０としてコンタクトガラス２２（透明表示パネル２２ｂ）に表示させる画像データは、図示しない通信部によって外部から受信した印刷データ（ＰＤＬデータ）やファクシミリデータ等の受信データのものであっても良い。
【００３１】
また、画像編集部７１は、コンタクトガラス２２（透明表示パネル２２ｂ）にプレビュー画像５０と共に、画像データに対する各種編集を実行する編集ウインドウ５１と、画像データの印刷を指示する実行キー５２とを、ソフトキーとして表示させる。
【００３２】
編集ウインドウ５１には、タッチ操作やペン型入力デバイスによって手書き入力を実行するペンツール、画像データに図形を追加する図形ツール等の画像データに情報を付加する各種編集ツールがレイアウトされている。
【００３３】
画像編集部７１は、ユーザーによる編集ウインドウ５１の操作に応じて、図３（ｂ）に示すように、プレビュー画像５０として等倍表示された画像データに情報を付加する編集を受け付ける。なお、図３（ｂ）に示す符号Ｘは、情報を付加した編集箇所である。そして、ユーザーによって実行キー５２が操作されると、編集後の画像データを印刷部４２によって出力させる。なお、実行キー５２の操作によって、編集後の画像データを記憶部９に保存させたり、図示しないネットワークを介して外部に出力したりしても良い。
【００３４】
読み取った画像データが複数の場合、操作部５によってプレビュー指示を受け付けると、画像編集部７１は、図４（ａ）に示すように、複数の画像データを縮小されたサムネイル画像５３としてコンタクトガラス２２上に一覧表示させる。
【００３５】
そして、ユーザーが確認／編集したいサムネイル画像５３を選択すると、画像編集部７１は、図４（ｂ）に示すように、コンタクトガラス２２（透明表示パネル２２ｂ）に選択された画像データをプレビュー画像５０として等倍表示させる。
【００３６】
また、画像編集部７１は、コンタクトガラス２２（透明表示パネル２２ｂ）にプレビュー画像５０と共に、編集ウインドウ５１と、実行キー５２と、リターンキー５４と、一括実行キー５５とを、ソフトキーとして表示させる。
【００３７】
リターンキー５４の操作を受け付けると、画像編集部７１は、編集後の画像データを一時保存し、サムネイル画像５３に戻る。そして、複数の画像データに対する終了した後に、一括実行キー５５の操作を受け付けると、画像編集部７１は、複数の画像データを一括して出力させる。
【００３８】
なお、本実施の形態では、コンタクトガラス２２を透過型ディスプレイとして機能させたが、スリットガラス２３に補助用の透明表示パネル及びタッチパネルを設け、スリットガラス２３も補助用の透過型ディスプレイとして機能させても良い。この場合、図５に示すように、スリットガラス２３に、編集ウインドウ５１と、実行キー５２と、リターンキー５４と、一括実行キー５５とを、ソフトキーとして表示させると良い。これにより、コンタクトガラス２２に載置可能な最大サイズの原稿の画像データも、コンタクトガラス２２にプレビュー画像５０として等倍表示させ、編集を実行することができる。
【００３９】
また、スリットガラス２３には、表示を常に行う必要なく、最大サイズの原稿の画像データをコンタクトガラス２２にプレビュー画像５０として等倍表示させる際に、編集ウインドウ５１と、実行キー５２と、リターンキー５４と、一括実行キー５５とをスリットガラス２３に切り換えて表示させるようにしても良い。
【００４０】
以上説明したように、本実施の形態によれば、コンタクトガラス２２に載置された原稿を読み取る原稿読取部２を備え、原稿読取部２によって読み取った原稿や、受信データの画像データを生成する複写機１であって、コンタクトガラス２２は、矩形状の透明部材により構成された基体２２ａと、コンタクトガラス２２に載置可能な原稿の最大サイズを少なくとも含む表示部として設けられている透明表示パネル２２ｂ及びタッチパネル２２ｃとを備え、画像データをコンタクトガラス２２にプレビュー画像５０として表示させると共に、画像データに対する各種編集を実行する編集ウインドウ５１を表示させ、画像データに情報を付加する編集を受け付ける編集部として機能する画像編集部７１と、編集後の画像データを出力する出力部である印刷部４２とを備えている。
この構成により、コンタクトガラス２２にプレビュー画像５０と共に表示させた編集ウインドウ５１によって画像データに情報を付加する編集を受け付けることができるため、プレビュー画像５０に簡単な操作で情報を付加して出力することができる。
【００４１】
さらに、本実施の形態において、編集ウインドウ５１には、手書き入力を実行するペンツールが画像データに情報を付加する編集ツールとしてレイアウトされている。
この構成により、等倍サイズにプレビュー画像５０を見ながらサイン等の手書き入力を付加することができる。
【００４２】
さらに、本実施の形態において、編集ウインドウ５１には、画像データに図形を追加する図形ツールが画像データに情報を付加する編集ツールとしてレイアウトされている。
この構成により、等倍サイズにプレビュー画像５０を見ながら図形を追加することができる。
【００４３】
さらに、本実施の形態において、画像編集部７１は、画像データが複数である場合、複数の画像データを縮小されたサムネイル画像５３としてコンタクトガラス２２に一覧表示させ、一覧表示から選択された画像データをコンタクトガラス２２にプレビュー画像５０として表示させる。
この構成により、編集する画像データを簡単に選択することができる。
【００４４】
さらに、本実施の形態において、原稿給送部３によって１枚ずつ順に繰り出される原稿を読み取るためのスリットガラス２３に補助表示部として透明表示パネル及びタッチパネルを備え、画像編集部７１は、コンタクトガラス２２に載置可能な最大サイズの原稿の画像データをコンタクトガラス２２に表示させる場合に、編集ウインドウ５１をスリットガラス２３に切り換えて表示させる。
この構成により、コンタクトガラス２２に載置可能な最大サイズの原稿の画像データも、コンタクトガラス２２にプレビュー画像５０として等倍表示させ、編集を実行することができる。
【００４５】
また、本実施の形態によれば、コンタクトガラス２２に載置された原稿を読み取る原稿読取部２を備え、原稿読取部２によって読み取った原稿や、受信データの画像データを生成する複写機１であって、コンタクトガラス２２は、矩形状の透明部材により構成された基体２２ａと、コンタクトガラス２２に載置可能な原稿の最大サイズを少なくとも含む表示部として設けられている透明表示パネル２２ｂ及びタッチパネル２２ｃとを備え、原稿給送部３によって１枚ずつ順に繰り出される原稿を読み取るためのスリットガラス２３に補助表示部として透明表示パネル及びタッチパネルを備え、画像データをコンタクトガラス２２にプレビュー画像５０として表示させると共に、画像データに対する各種編集を実行する編集ウインドウ５１をスリットガラス２３に表示させ、画像データに情報を付加する編集を受け付ける編集部として機能する画像編集部７１と、編集後の画像データを出力する出力部である印刷部４２とを備えている。
この構成により、コンタクトガラス２２に表示させたプレビュー画像５０に対する編集をスリットガラス２３に表示させた編集ウインドウ５１によって受け付けることができるため、プレビュー画像５０に簡単な操作で情報を付加して出力することができる。
【００４６】
さらに、本実施の形態において、設定や動作指示を行う表示入力部として操作部５を備え、画像編集部７１は、コンタクトガラス２２の表示を、操作部５にも表示させる。
この構成によって、操作部５でもプレビュー画像５０を確認することができる。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４８】
１  複写機
２  原稿読取部
３  原稿給送部
４  本体部
５  操作部
７  制御部
８  画像処理部
９  記憶部
２１  スキャナー
２２  コンタクトガラス
２２ａ  基体
２２ｂ  透明表示パネル
２２ｃ  タッチパネル
２３  スリットガラス
３１  原稿載置部
３２  原稿搬送機構
３３  原稿排出部
３４  原稿検出センサー
３５  開閉検出センサー
４１  給紙部
４２  印刷部
５０  プレビュー画像
５１  編集ウインドウ
５２  実行キー
５３  サムネイル画像
５４  リターンキー
５５  一括実行キー
７１  画像編集部
【図１】
2019216382.tif 000003
【図２】
2019216382.tif 000004
【図３】
2019216382.tif 000005
【図４】
2019216382.tif 000006
【図５】
2019216382.tif 000007